(57)【要約】【課題】コンテナ内のスペースを有効利用し、且つ、原動機や発電機の振動や熱が制御盤に伝わりにくいように制御盤を固定する。【解決手段】原動機２、交流発電機３及びインバータ盤４を収容するコンテナ５を備える移動電源車１である。コンテナ５の床面に原動機２及び交流発電機３を取り付け、コンテナ５の天井部に、インバータ盤４を固定するためのスライドレール６を設ける。インバータ盤４にスライドレール６と摺動可能な摺動部７を備える。コンテナ５の側面からスライドレール６に摺動部７を挿入してコンテナ５にインバータ盤４を取り付けた後、インバータ盤４をボルト等でコンテナ５に固定する。【選択図】図１
2018079866.tif 000002
【特許請求の範囲】
【請求項１】
原動機、発電機及び制御盤を収容するコンテナであって、
前記原動機及び前記発電機は、前記コンテナの床面に取り付けられ、
前記コンテナの天井部に前記制御盤を固定する固定具を備えた
ことを特徴とするコンテナ。
【請求項２】
前記制御盤は、前記原動機または前記発電機の上方に固定される
ことを特徴とする請求項１に記載のコンテナ。
【請求項３】
前記固定具は、スライドレールである
ことを特徴とする請求項１または請求項２に記載のコンテナ。
【請求項４】
前記制御盤は、インバータ盤である
ことを特徴とする請求項１から請求項３のいずれか１項に記載のコンテナ。
【請求項５】
請求項１から請求項４のいずれか１項に記載のコンテナを備えた移動電源車。
【発明の詳細な説明】
【技術分野】
【０００１】
本発明は、原動機、発電機及び制御盤を収容するコンテナ及びコンテナを具備する移動電源車に関し、特に、コンテナに実装される制御盤の固定技術に関する。
【背景技術】
【０００２】
移動電源車は、発電機、制御盤等電力供給のための設備をコンテナに収容し、商用電源の不備な場所や商用電源の貧弱な場所に電力を供給する（例えば、特許文献１、２）。移動電源車は、山中の小道や街中の路地を通過した先の場所での使用を要求されることもあり、より小型の車両であることが望ましい。
【０００３】
図４に示すように、移動電源車８は、用途に合わせて電力供給に必要な設備（エンジン９、発電機１０及び制御盤１１等）がコンテナ１２内に収容される（例えば、特許文献１）。すなわち、図５に示すように、従来の移動電源車１３のコンテナ１４内には、原動機２、交流発電機３、インバータ盤１５で構成された電力供給設備が収容される。インバータ盤１５は、例えば、図６に示すような三相平衡装置を搭載する制御盤であり、不平衡負荷による電流を補償したい場合に用いられる（例えば、特許文献２）。三相平衡装置は、ＩＧＢＴで主回路を構成したインバータ盤１５として、発電機出力を三相平衡化する機能を提供する。なお、制御盤は、三相平衡装置を搭載するインバータ盤１５だけでなく、移動電源車の目的に応じて様々な制御盤が用いられる。
【０００４】
移動電源車を小型化するため、電力供給設備は限られたスペースを有効利用してコンテナ内に収容される。例えば、図５に示した移動電源車１３では、コンテナ１４の床に脚を備えた台１６を設けてコンテナ１４内のスペースの有効利用を図っている。つまり、台１６の下に交流発電機３を配置し、台１６の上にインバータ盤１５を設けることで、交流発電機３の上にインバータ盤１５を配置してコンテナ１４内のスペースの有効利用を図っている。
【先行技術文献】
【特許文献】
【０００５】
【特許文献１】特開２００３−２７４６０４号公報
【特許文献２】特開平０６−２６９１０２号公報
【発明の概要】
【発明が解決しようとする課題】
【０００６】
しかしながら、原動機や交流発電機からは振動や熱が発生するので、移動電源車が発電すると、原動機や交流発電機からの振動や熱が、周囲の機器に伝搬して内部部品に悪影響を及ぼすおそれがある。特に、インバータ盤１５等の制御盤はＩＧＢＴ等の部品から構成される精密機器であり、万が一振動や熱の影響を受けて破損すると、その機能に支障をきたすことが懸念される。
【０００７】
例えば、図７に示すように、台１６の上にインバータ盤１５を設け、交流発電機３の上にインバータ盤１５を配置した場合、交流発電機３から発生した振動は、コンテナ１４の床面から台１６を介してインバータ盤１５に伝搬する。この場合、振動の伝搬距離が短いことから、交流発電機３から発生した振動はほとんど減衰することなくインバータ盤１５へ伝わることとなる。また、インバータ盤１５は、交流発電機３の上にほぼ隙間なく配置されているので、交流発電機３から発せられた熱が直接インバータ盤１５に伝搬し、インバータ盤１５が高温となるおそれがある。
【０００８】
このように、同一のコンテナ内に、原動機や交流発電機といった振動源や発熱源とともに制御盤を収容する場合には、制御盤に伝搬する振動や熱の影響を低減する対策が必要となる。振動に対する対策として、従来、原動機や交流発電機に対して防振ゴムを適用することが行われている。しかしながら、防振ゴムは、経年劣化により防振効果が低減し、防振効果が十分でなくなるおそれがある。
【０００９】
上記事情に鑑み、本発明は、原動機、交流発電機、制御盤を収容するコンテナにおいて、コンテナ内のスペースを有効利用し、振動や熱が制御盤に伝わりにくい制御盤の固定技術を提供することを目的としている。
【課題を解決するための手段】
【００１０】
上記目的を達成する本発明のコンテナの一態様は、原動機、発電機及び制御盤を収容するコンテナであって、前記原動機及び前記発電機は、前記コンテナの床面に取り付けられ、
前記コンテナの天井部に前記制御盤を固定する固定具を備えたことを特徴としている。
【００１１】
また、上記目的を達成する本発明のコンテナの他の態様は、上記コンテナにおいて、前記制御盤は、前記原動機または前記発電機の上方に固定されることを特徴としている。
【００１２】
また、上記目的を達成する本発明のコンテナの他の態様は、上記コンテナにおいて、前記固定具は、スライドレールであることを特徴としている。
【００１３】
また、上記目的を達成する本発明のコンテナの他の態様は、上記コンテナにおいて、前記制御盤は、インバータ盤であることを特徴としている。
【００１４】
また、上記目的を達成する本発明の移動電源車は、上記いずれかのコンテナを備えたことを特徴としている。
【発明の効果】
【００１５】
以上の発明によれば、コンテナ内のスペースを有効利用でき、且つ、原動機や発電機の振動や熱が制御盤に伝わりにくいように制御盤を固定することができる。
【図面の簡単な説明】
【００１６】
【図１】本発明の実施形態に係る移動電源車の概略を示す平面透視図である。
【図２】本発明の実施形態に係る移動電源車の概略を示す断面図である。
【図３】実施形態の移動電源車における振動及び熱の移動を説明する説明図である。
【図４】従来技術に係る移動電源車の断面図である。
【図５】従来技術に係る移動電源車の概略を示す断面図である。
【図６】従来技術に係る三相平衡装置を搭載する制御盤の回路構成を示す図である。
【図７】従来技術に係る移動電源車における振動及び熱の移動を説明する説明図である。
【発明を実施するための形態】
【００１７】
本発明の実施形態に係るコンテナ及び移動電源車について、図面に基づいて詳細に説明する。なお、図面は移動電源車の概略であり、従来の移動電源車と同様のインバータ盤の回路構成や電力供給のための設備は図示省略している。
【００１８】
図１に示すように、本発明の実施形態に係る移動電源車１は、原動機２、交流発電機３及びインバータ盤４を収容するコンテナ５を備える。インバータ盤４は、インバータ回路を有する制御盤である。また、原動機２及び交流発電機３は、コンテナ５の床面に取り付けられる。
【００１９】
コンテナ５の天井部には、インバータ盤４を固定するための一対のスライドレール６が設けられる。図２に示すように、インバータ盤４は、スライドレール６と摺動可能な摺動部７を備える。インバータ盤４をコンテナ５に取り付ける際、コンテナ５の側面からスライドレール６に摺動部７を挿入してコンテナ５にインバータ盤４が取り付けられる。その後、スライドレール６に挿入されたインバータ盤４は、ボルト等によりコンテナ５に固定される。なお、インバータ盤４をコンテナ５に固定する固定具は、スライドレール６に限定されるものではなく、例えば、インバータ盤４をボルト等によって直接コンテナ５の天井部に取り付ける固定具であってもよい。また、スライドレール６等の固定具は、交流発電機３の上方のコンテナ５の天井部だけでなく、原動機２の上方のコンテナ５の天井部に備えることもできる。
【００２０】
移動電源車１が発電を行う際、原動機２で交流発電機３を動かし、インバータ盤４で制御された交流発電機３の出力が外部へ給電される。
【００２１】
このとき、図３に示すように、振動源である原動機２や交流発電機３から発生した振動は、コンテナ５の床面、側壁、天井の順に外殻を伝搬してインバータ盤４へ到達する。この振動は、伝搬する過程で徐々に減衰する。
【００２２】
また、発熱源である交流発電機３（または、原動機２）とインバータ盤４の間には、空気層（隙間）が形成される。交流発電機３からインバータ盤４に伝わる熱の温度は、空気層を伝搬する過程で徐々に下がる。
【００２３】
以上のような本発明の実施形態に係るコンテナ５及び移動電源車１によれば、コンテナ５の天井部にインバータ盤４を備えることで、原動機２や交流発電機３といった振動源からインバータ盤４へ伝搬する振動の伝搬ルートを従来よりも長くとることができる。振動の伝搬ルートが長くなるほど、インバータ盤４に伝わる振動は減衰して小さくなり、インバータ盤４へ伝搬する振動の悪影響が低減される。また、振動の伝搬ルートを長くすることで、防振ゴム等を用いずにインバータ盤４へ伝搬する振動の悪影響が低減されるので、経年劣化により防振性能が低下しない。
【００２４】
また、コンテナ５の天井部にインバータ盤４を固定することで、コンテナ５に固定されたインバータ盤４と交流発電機３（または、原動機２）との間に空気層が形成される。その結果、交流発電機３（または、原動機２）からの熱は、直接インバータ盤４に伝搬せず、空気層を伝搬してインバータ盤４に到達する。交流発電機３（または、原動機２）から伝わる熱は、空気層を伝搬する過程で温度が下がり、インバータ盤４に伝わる熱の影響が低減される。空気層は、従来の交流発電機３（または、原動機２）とインバータ盤４との隙間よりも広くなっており、これにより大きな容量の空気層が形成される。空気層の容量が大きいほど伝わる熱の温度が低くなるので、容量の大きな空気層を形成することで、インバータ盤４に伝搬する熱の悪影響を低減する効果が大きくなる。
【００２５】
また、コンテナ５の天井部にインバータ盤４を備えることで、コンテナ５のスペースを有効利用することができる。特に、原動機２や交流発電機３の上方のコンテナ５の天井部にインバータ盤４を備えることで、コンテナ５のスペースを有効に利用することができ、コンテナ５及び移動電源車１をより小型化することができる。
【００２６】
また、コンテナ５の天井部にスライドレール６を設けることにより、コンテナ５へのインバータ盤４の取り付けが容易になる。また、スライドレール６を介してインバータ盤４を取り付けることにより、重量のあるインバータ盤４を安全に取り付けることができる。
【００２７】
以上、具体的な実施形態を示して本発明のコンテナ及び移動電源車について説明したが、本発明のコンテナ及び移動電源車は、実施形態に限定されるものではなく、発明の特徴を損なわない範囲で適宜設計変更が可能であり、設計変更された形態も、本発明の技術的範囲に属する。
【００２８】
例えば、コンテナは、移動電源車に備えられるコンテナに限定されるものではなく、例えば、非常用発電装置を収容するコンテナ等の振動源または発熱源である原動機または発電機と、振動または熱の悪影響を防止すべき制御盤とを収容する筐体全般に適用することができる。
【００２９】
また、コンテナに備えられる制御盤は、インバータ盤に限定されるものではなく、インバータ盤と同様に、振動や熱の悪影響を防止すべき他の制御盤をコンテナの天井に固定した場合にも同様の効果が得られる。
【符号の説明】
【００３０】
１…移動電源車
２…原動機
３…交流発電機（発電機）
４…インバータ盤（制御盤）
５…コンテナ
６…スライドレール（固定具）
７…摺動部
【図１】
2018079866.tif 000003
【図２】
2018079866.tif 000004
【図３】
2018079866.tif 000005
【図４】
2018079866.tif 000006
【図５】
2018079866.tif 000007
【図６】
2018079866.tif 000008
【図７】
2018079866.tif 000009